(57)【要約】【課題】状況に応じた適切な項目区切り位置を自動設定でき、特定の操作でスキップ操作やバックスキップ操作を実現でき、読み出し機能を効率的に活用でき、また、ユーザの利便性を向上させることが可能な携帯端末装置を提供する。【解決手段】読み上げ操作を指示する操作部１９と、テキストを記憶するメモリ１２と、読み上げを行う際に、メモリ１２に記憶されたテキストデータを音声データに変換する音声合成部２０と、音声データを出力する音声出力部２１と、音声出力部２１にて音声データを出力する際に、読み上げるべきテキストから所定の区切りを認識し、操作部１９により所定の指示があったときは、指示入力時点での読み上げ対象テキストの前後いずれかの区切り位置からを音声データとして音声出力部により出力するように制御する制御部２６とを有する。【選択図】      図１
2006014240.tif 000002
【特許請求の範囲】
【請求項１】
表示手段に表示される表示項目の音声による読み上げ機能を有する携帯端末装置であって、
読み上げ操作を指示する操作部と、
テキストデータを記憶する記憶部と、
読み上げを行う際に、上記記憶部に記憶されたテキストデータを音声データに変換する音声合成部と、
上記音声データを出力する音声出力部と、
上記音声出力部にて上記音声データを出力する際に、読み上げるべきテキストデータから所定の区切りを認識し、上記操作部により所定の指示があったときは、当該指示入力時点での読み上げ対象テキストの前後いずれかの区切り位置からを音声データとして上記音声出力部により出力するように制御する制御部と
を有することを特徴とする携帯端末装置。
【請求項２】
上記操作部により指示される所定の指示は、早送りまたは巻き戻しの操作であり、
上記制御部は、上記所定の指示が早送りの指示ならば、上記所定の指示があった時点から前方に最も近い区切り位置から、上記所定の指示が巻き戻しの指示ならば、上記所定の指示があった時点から後方に最も近い区切り位置からを音声データとして上記音声出力部により出力する
ことを特徴とする請求項１に記載の携帯端末装置。
【請求項３】
上記区切り位置は、記述記号が付された位置である
ことを特徴とする請求項１または２に記載の携帯端末装置。
【請求項４】
通信ネットワークに接続されて、電子メールを受信可能な通信部を有し、
上記制御部は、電子メールについて読み上げを行う際に、上記電子メールの構成要素を認識して複数の構成要素の間を区切り位置として扱うように制御する
ことを特徴とする請求項１乃至３のいずれか一に記載の携帯端末装置。
【請求項５】
上記制御部は、電子メールについて読み上げを行う際に、上記構成要素の名称のテキストデータを上記区切り位置で挟まれるテキストデータの先頭部分に挿入するように制御する
ことを特徴とする請求項４に記載の携帯端末装置。
【請求項６】
上記記憶部は、敬称のテキストと、アドレス情報とを記憶し、
上記制御部は、受信した電子メールの差出人を示す構成要素について上記アドレス情報から差出人名を検索可能で、電子メールの差出人を示す構成要素について読み上げを行う際に、上記音声出力部にて上記差出人名を出力した後に上記敬称を出力するように制御する
ことを特徴とする請求項４または５に記載の携帯端末装置。
【請求項７】
上記操作部は、外部接続されて上記制御部に読み上げ操作を指示可能な外部操作部を備えるリモートコントロールする外部接続機器を含み、
上記制御部は、上記外部接続機器の接続されるときには上記音声出力部の出力を上記外部接続機器に切り替える
ことを特徴とする請求項１乃至３のいずれか一に記載の携帯端末装置。
【請求項８】
通信ネットワークからの着信情報を受信可能な通信部を有し、
上記制御部は、上記通信部により着信情報を受信すると、上記音声出力部にて着信報知を行わせて上記外部接続機器に出力させるとともに、上記外部操作部が操作されたときには当該着信報知を停止し、上記通信部に通信ネットワークへ通信の接続処理を開始させるように制御する
ことを特徴とする請求項７に記載の携帯端末装置。
【請求項９】
上記外部操作部は、少なくとも一つのキーで構成され、
上記制御部は、上記キーの操作により生じる信号の所定時間内における回数をカウントすることにより、上記所定の指示を判別する
ことを特徴とする請求項７に記載の携帯端末装置。
【請求項１０】
上記外部操作部は、少なくとも一つのキーで構成され、
上記制御部は、上記キーの操作により生じる信号の継続する時間をカウントすることにより、上記所定の指示を判別する
ことを特徴とする請求項７に記載の携帯端末装置。
【請求項１１】
上記操作部により指示される所定の指示は、早送りまたは巻き戻しの操作であり、
上記制御部は、上記音声出力部にて通常速度である第１の速度で読み上げている際に、上記操作部により早送り指示がなされると、当該早送り指示があった時点から前方に最も近い区切り位置までを第１の速度よりも速い第２の速度で読み上げ、上記区切り位置からは第１の速度に戻して読み上げる制御を行う
ことを特徴とする請求項１に記載の携帯端末装置。
【請求項１２】
上記制御部は、上記操作部により第１回目の巻き戻し指示がされると、当該第１回目の操作指示時点での区切り区間を読み上げ、上記第１回目の操作指示があってから所定時間内に再度巻き戻し操作の指示があると、一つ前の区間まで読み上げ対象を戻すように制御する
ことを特徴とする請求項２または１０に記載の携帯端末装置。
【発明の詳細な説明】
【技術分野】
【０００１】
本発明は、たとえば携帯電話機等の無線通信を行う携帯端末装置に係り、特に、表示中の項目を音声にて読み上げる機能を有する携帯端末装置に関するものである。
【背景技術】
【０００２】
近年、携帯端末装置としてキー操作に対応して、このキー操作により設定された機能名等をアナウンスするようにした携帯電話機が提案されている（たとえば特許文献１参照）。
この携帯電話機は、複数のキー操作部と、キー操作部の１あるいは複数のキー操作に従い電話機が備えた複数の機能のうち、キー操作に対応する機能に関して設定を行う制御部と、キー操作に連動して設定される機能名を音声出力する音声合成部とを有する。
【０００３】
また、音声出力機能を有する端末装置として、ニュースや広告等の言葉として一まとまりの意味を持った音声に変換して再生出力する場合に、操作者（ユーザ）が情報の誤認等をするのを防止するようにした情報出力装置、あるいはメール読み上げ装置により読み出されるメールから必要なメールを確認するための時間を短縮するようにした文書読み上げ装置が知られている。
【０００４】
前者の情報出力装置は、情報記憶部に記憶されている情報を所定の読み出し位置から読み出し音声に変換して再生出力する装置であって、読出制御部が、巻き戻しボタンによる指示によって情報の読出開始位置が決定されたときには、決定された情報の読出位置の前方の最初の区切り位置まで移動し、また、早送りボタンによる指示によって情報の読出開始位置が決定されたときには、決定された情報の読出開始位置を後方の最初の区切り位置まで移動し、情報の読出開始位置を最終的に決定する。
【０００５】
また、後者の文書読み上げ装置は、電話機から情報処理装置にアクセスしてメールを読み出す際、まず、メールのヘッダが順に音声合成部により出力される。利用者は、必要ないメールについては、その差出人あるいはサブジェクトあるいはそれらの両方を、スキップ条件としてスキップ条件保持部に登録する。その後、ヘッダ部を読み出す際に、スキップ条件判定部によりその条件が判定され、スキップ条件に適合したメールは読まれない。また、必要なメールが見つかれば、指示に応じて本文が音声合成部により出力される。
【特許文献１】特開平１１−２５２２１６号公報
【発明の開示】
【発明が解決しようとする課題】
【０００６】
ところが、特許文献１に記載された携帯電話機においては、キー操作に応じて、短縮番号メモリの検索結果を音声情報に変換してユーザに伝達するのみで、音声で提供される情報は基本的に順番に出力され、一覧性がなく、重要度によってユーザが取捨選択して音声情報を取得することが困難で、いわゆる読み上げ機能を効率的に活用することができないという不利益がある。
【０００７】
また、上述した情報出力装置では、基本的に一連の文章となったテキスト情報に対応するもので、端末の操作などが伴うメニュー表示などには対応していない。
また、区切り位置の自動設定は、巻き戻しや早送り操作後に不自然な位置からの再生を回避することが第一に考慮されており、重要度により取捨選択をサポートするという観点では十分とはいえない。
たとえば、メールのヘッダ情報をヘッダ情報として認識することがないことから、受信日時、差出人、件名と、それ以外の重要度の低い「Ｒｅｔｕｒｎ  ｐａｔｈ」や「ｔｏ」などの読み上げには必要としていない情報を同じように取り扱ってしまう。
【０００８】
また、上述した文書読み上げ装置は、必要なメールを選択して再生する際の操作性に主眼が置かれているため、「件名」と「差出人」しかスキップ条件として利用することができない。
また、メールを読み上げる時の操作性に関しては改善されていない。
【０００９】
また、上述した各装置においては、イヤホンマイク等の外部接続機器に対応して、ユーザの利便性を向上させるような機能を有していないという不利益がある。
【００１０】
本発明は、かかる事情に鑑みてなされたものであり、その目的は、状況に応じた適切な項目区切り位置を自動設定でき、特定の操作でスキップ操作やバックスキップ操作を実現でき、読み出し機能を効率的に活用でき、また、ユーザの利便性を向上させることが可能な携帯端末装置を提供することにある。
【課題を解決するための手段】
【００１１】
上記目的を達成するため、本発明の第１の観点は、表示手段に表示される表示項目の音声による読み上げ機能を有する携帯端末装置であって、読み上げ操作を指示する操作部と、テキストデータを記憶する記憶部と、読み上げを行う際に、上記記憶部に記憶されたテキストデータを音声データに変換する音声合成部と、上記音声データを出力する音声出力部と、上記音声出力部にて上記音声データを出力する際に、読み上げるべきテキストデータから所定の区切りを認識し、上記操作部により所定の指示があったときは、当該指示入力時点での読み上げ対象テキストの前後いずれかの区切り位置からを音声データとして上記音声出力部により出力するように制御する制御部とを有する。
【００１２】
好適には、上記操作部により指示される所定の指示は、早送りまたは巻き戻しの操作であり、上記制御部は、上記所定の指示が早送りの指示ならば、上記所定の指示があった時点から前方に最も近い区切り位置から、上記所定の指示が巻き戻しの指示ならば、上記所定の指示があった時点から後方に最も近い区切り位置からを音声データとして上記音声出力部により出力する。
【００１３】
好適には、上記区切り位置は、記述記号が付された位置である。
【００１４】
好適には、通信ネットワークに接続されて、電子メールを受信可能な通信部を有し、上記制御部は、電子メールについて読み上げを行う際に、上記電子メールの構成要素を認識して複数の構成要素の間を区切り位置として扱うように制御する。
【００１５】
好適には、上記制御部は、電子メールについて読み上げを行う際に、上記構成要素の名称のテキストデータを上記区切り位置で挟まれるテキストデータの先頭部分に挿入するように制御する。
【００１６】
好適には、上記記憶部は、敬称のテキストと、アドレス情報とを記憶し、上記制御部は、受信した電子メールの差出人を示す構成要素について上記アドレス情報から差出人名を検索可能で、電子メールの差出人を示す構成要素について読み上げを行う際に、上記音声出力部にて上記差出人名を出力した後に上記敬称を出力するように制御する。
【００１７】
好適には、上記操作部は、外部接続されて上記制御部に読み上げ操作を指示可能な外部操作部を備えるリモートコントロールする外部接続機器を含み、上記制御部は、上記外部接続機器の接続されるときには上記音声出力部の出力を上記外部接続機器に切り替える。
【００１８】
好適には、通信ネットワークからの着信情報を受信可能な通信部を有し、上記制御部は、上記通信部により着信情報を受信すると、上記音声出力部にて着信報知を行わせて上記外部接続機器に出力させるとともに、上記外部操作部が操作されたときには当該着信報知を停止し、上記通信部に通信ネットワークへ通信の接続処理を開始させるように制御する。
【００１９】
好適には、上記外部操作部は、少なくとも一つのキーで構成され、上記制御部は、上記キーの操作により生じる信号の所定時間内における回数をカウントすることにより、上記所定の指示を判別する。
【００２０】
好適には、上記外部操作部は、少なくとも一つのキーで構成され、上記制御部は、上記キーの操作により生じる信号の継続する時間をカウントすることにより、上記所定の指示を判別する。
【００２１】
好適には、上記操作部により指示される所定の指示は、早送りまたは巻き戻しの操作であり、上記制御部は、上記音声出力部にて通常速度である第１の速度で読み上げている際に、上記操作部により早送り指示がなされると、当該早送り指示があった時点から前方に最も近い区切り位置までを第１の速度よりも速い第２の速度で読み上げ、上記区切り位置からは第１の速度に戻して読み上げる制御する。
【００２２】
好適には、上記制御部は、上記操作部により第１回目の巻き戻し指示がされると、当該第１回目の操作指示時点での区切り区間を読み上げ、上記第１回目の操作指示があってから所定時間内に再度巻き戻し操作の指示があると、一つ前の区間まで読み上げ対象を戻すように制御する。
【発明の効果】
【００２３】
本発明によれば、状況に応じた適切な項目区切り位置を自動設定でき、特定の操作でスキップ操作やバックスキップ操作を実現でき、読み出し機能を効率的に活用できる。
また、ユーザの利便性を向上させることができる。
【発明を実施するための最良の形態】
【００２４】
以下、本発明の実施形態を添付図面に関連付けて説明する。
【００２５】
図１は、本発明の携帯端末装置としての携帯電話機１０のシステム構成の一例を図解したブロック図である。図２は、携帯電話機１の外観の一例を図解した図である。
携帯電話機１０は、可動機構を有する、いわゆる折り畳み式携帯電話機であって、図２（ａ）は開かれた状態（開状態）での正面図を、（ｂ）は閉じられた状態（閉状態）での正面図を、（ｃ）は開状態での側面図を、（ｄ）は閉状態での側面図を、それぞれ示す。
【００２６】
本実施形態に係る携帯電話機１０においては、通常の携帯電話機の機能に加えて、音声読み上げ機能を有し、また、外部接続されて読み上げ操作を指示可能な外部操作部を備えるリモートコントロールする外部接続機器としてのイヤホンマイクを接続可能で、外部接続機器の接続されるときには音声出力部の出力をイヤホンマイクに切り替える機能を備えている。
そして、携帯電話機１０（イヤホンマイクを接続していない場合と接続した場合を含む）は、メニュー表示、メーラー、ブラウザという、データ形式や一連の操作が規定される場面で、ユーザにとっての情報の重要度にそった区切り位置の自動設定の効果的なルールを規定し、音声読み上げ中のスキップ操作を活用することによりユーザの効率的な情報の取捨選択を可能にするように構成されている。
たとえば、本実施形態に係る携帯電話機１０においては、メール本文の読み上げの際には、「受信日時」、「差出人」、「件名」、「本文」という電子メール特有の情報により区切り位置を設定するとともに、定型テキストとしてこれらの項目見出しを各区切りの先頭に挿入し、この順番で項目名を確認しながらスキップ操作を行うことが可能となっている。
また、本実施形態に係る携帯電話機１０においては、たとえばＪＩＳの規定する句点、読点、感嘆符、疑問符等の記述記号、具体的には、「、」「。」「−」「／」「！」「？〕等の記述記号が付された位置を区切り位置として設定することで、メール本文内を自動的に区切ることが可能で、確認（認識）時間を短縮しながらもおおまかな主旨を把握することが可能となっている。
また、イヤホンマイクの使用時に、イヤホンを通した読み上げ音声の確認とリモートコントロール（以下、単にリモコンという）操作を可能とすることで、携帯電話機１０をたとえば鞄にいれたままでの操作や、携帯電話機１０で音楽を聞いている最中の新着メールの内容確認や、周囲に画面の内容を見られたくないような状況での情報に確認などを、簡単な操作で実現可能となっている。
【００２７】
以下、本実施形態に係る携帯電話機１０の各部の構成、機能、並びに、音声読み上げ制御について順を追って説明する。
【００２８】
図１に示すように、携帯電話機１０は、送受信アンテナ１１１を含む通信処理部１１と、メモリ１２と、キー操作部１３と、ダイヤル入力部１４と、サブ表示部１５と、メイン表示部１６と、スピーカ１７１およびマイクロフォン１７２を含む音声処理部１７と、開閉スイッチ１８と、読み上げキー入力部１９と、音声合成部２０と、リンガスピーカ２１と、スイッチ回路２２，２３，２４と、外部機器接続部２５と、制御部（ＣＰＵ）２６とを有している。また、図１において、３０が外部接続機器としてのイヤホンマイクを示している。
イヤホンマイク３０は、図１に示すように、リモコン操作のためのキー操作部３１、スピーカ３２、およびマイクロフォン３３を有している。
また、図２（ａ）に示すように、携帯電話機１０の本体ケース１００は、第１の筐体としてのキー入力側本体ケース１０１と、第２の筐体としての表示側本体ケース１０２とが、図示しない可動機構により連結されて、開閉状態を形成するように構成される。
【００２９】
通信処理部１１は、基地局を介した無線通信動作、たとえば、電話番号の発呼動作や電子メールの送受信動作などを行う。
通信処理部１１は、送受信アンテナ１１１を含んで構成され、電波を利用した無線通信で行うために、制御部２６で処理された音声情報、電子メール等を変調して送受信アンテナ１１１により図示しない基地局に送信する。
また、通信処理部１１は、基地局から無線により送信され、送受信アンテナ１１１で受信した電子メールや音声情報等の各種情報を復調して制御部２６に出力する。
なお、送受信アンテナ１１１は、キー入力側本体ケース１０１または表示側本体ケース１０２に内蔵され、図２において外部に露出されていない。
【００３０】
メモリ（記憶部）１２は、ＥＥＰＲＯＭ等の不揮発性メモリを含んで構成され、通話やメールの送受信のための制御プログラム、インターネットブラウザ、メッセージデータ、名前および電話番号が登録されたアドレス帳などを記憶する。
メモリ１２は、後述する読み上げ機能に必要なテキスト列を含む音声読み上げデータベースを記憶する。このデータベースでは、読み上げのためのテキスト列について、前後の接続関係が文章として成立するように、体系的に整理されている。
メモリ１２は、敬称のテキストと、アドレス情報とを記憶する。制御部２６は、受信した電子メールの差出人を示す構成要素について、メモリ１２のアドレス情報から差出人名を検索可能で、電子メールの差出人を示す構成要素について読み上げを行う際に、音声出力部としてスピーカ２１等により差出人名を出力した後に敬称を出力するように制御する。
メモリ１２は、表示部が表示するメニューの項目毎に、「標準テキスト」、「短縮テキスト」および「説明テキスト」を記憶する。
【００３１】
キー操作部１３は、終了（終話）／電源キー、開始（発呼）キー、数字等に対応した複数のテンキー等を有し、これらのキーがユーザにより操作されることにより、ユーザからの入力情報を制御部２６に出力する。
【００３２】
ダイヤル入力部１４は、図２（ｃ）に示すように、ユーザが開状態の携帯電話機１０を保持した時にユーザの親指により操作がしやすくなるように、表示側本体ケース１０２の側面に配設されるダイヤル式の入力部であり、上下２方向の操作が可能に構成される。
ダイヤル入力部１４に対する操作により、ユーザは、音声の出力音量やサブ表示部１５およびメイン表示部１６に表示する文字サイズを変更することが可能となる。
また、図２（ｃ）および（ｄ）から明らかなように、閉状態と開状態のダイヤル入力部１４を比較すると、上下２方向の操作方向が物理的に逆転することになるが、本実施形態においては、ユーザにとって違和感が生じないように、ユーザから見た操作方向と操作に対する作用（たとえば、上述した音量変更や表示フォントサイズ（表示する文字サイズ）の変更）が常に一致するように、後述する制御部２６により制御される。
【００３３】
サブ表示部１５は、液晶表示装置（ＬＣＤ）等の表示デバイスを有し、図２（ｃ）に示すように、閉状態においてユーザに視認される。
メイン表示部１６は、液晶表示装置（ＬＣＤ）等の表示デバイスを有し、図２（ａ）に示すように、開状態においてユーザに視認される。
サブ表示部１５およびメイン表示部１６は、それぞれ閉状態および開状態において、受信した電子メールのテキストやメモリ１２に格納された様々なテキストデータを表示する。
【００３４】
音声処理部１７は、音声処理回路を有し、通話機能のために音声出力を行うスピーカ１７１とイヤホンマイク３０のスピーカ３２とがスイッチ２２を介して選択的に接続され、音声入力を行うマイクロフォン１７２とイヤホンマイク３０のマイクロフォン３３とがスイッチ２３を介して選択的に接続される。
音声処理部１７は、マイクロフォン１７２またはイヤホンマイク３０のマイクロフォン３３により集音した音声に対して所定の処理を行って制御部２６に供給する。また、音声処理部１７は、制御部２６により供給された音声情報に対して所定の処理を行ってスピーカ１７１またはイヤホンマイク３０のスピーカ３２から出力させる。
また、図２（ａ），（ｂ）に示すように、スピーカ１７１は、受話スピーカ１７１およびリンガスピーカ２１の２箇所の音声出力部を含み、基本的にリンガスピーカ２１による読み上げ機能の処理結果である音声を出力する。
【００３５】
開閉スイッチ１８は、携帯電話機１０の開閉状態を検出するためのスイッチである。
開閉スイッチ１８の具体的な構成としては、様々な技術を適用することができるが、たとえば図２（ａ）に示すように、キー入力側本体ケース１０１および表示側本体ケース１０２のそれぞれに接点部を有し、閉状態（図２（ｂ））において両接点が電気的に非導通となることにより、オフ状態となるような構成にすることができる。
たとえば、携帯電話機１０が閉状態で開閉スイッチ１８はオン状態（ＯＮ状態）となり、開状態で開閉スイッチ１８はオフ状態（ＯＦＦ状態）となるように構成し、制御部２６が開閉スイッチの状態を検出することにより、携帯電話機１０の開閉状態を判別する。
【００３６】
読み上げキー操作部１９は、図２（ｂ）に示すように、表示側本体ケース１０２の中央に配設される押下式ボタン１９ａと、当該ボタンによるスイッチ入力に対する入力回路と、を含んで構成される。
本実施形態における携帯電話機１０は、読み上げ機能を有し、押下式ボタン１９ａが押下（操作）されると、たとえば閉状態にリンガスピーカ２１により音声出力し、開状態では受話スピーカ１７１より音声出力するように制御部２６により制御される。
後述する制御部２６は、携帯電話機１０の開閉状態を開閉スイッチ１８の出力により判別した後、読み上げのための音声出力先を音声処理部１７に通知する。
制御部２６は、たとえば開状態の場合、音声合成部２０で音声合成されて生成された出力音声データを音声処理部１７を通してスピーカ１７１により音声出力させる。
【００３７】
音声合成部２０は、読み上げを行う際に、制御部２６においてメモリ１２から読み出され抽出されたテキストデータを音声データに変換する。
【００３８】
スイッチ回路２２は、固定接点ａが音声処理部１７の入出力部に接続され、作動接点ｂがマイクロフォン１７２に接続され、作動接点ｃが外部機器接続部２５のマイクロフォン端子２５１に接続されている。
スイッチ回路２２は、外部機器接続部２５にイヤホンマイク３０の接続端子が接続されていない（挿入されていない）場合には、制御部２６の制御により固定接点ａと作動接点ｂとを接続し、マイクロフォン１７２により収音された情報を音声処理部１７に入力させる。
スイッチ回路２２は、外部機器接続部２５にイヤホンマイク３０の接続端子が接続されている（挿入されている）場合には、制御部２６の制御により固定接点ａと作動接点ｃとを接続し、外部のイヤホンマイク３０のマイクロフォン３３により収音された情報を音声処理部１７に入力させる。
【００３９】
スイッチ回路２３は、固定接点ａが音声処理部１７の入出力部に接続され、作動接点ｂがスピーカ１７１に接続され、作動接点ｃが外部機器接続部２５のスピーカ端子２５２に接続されている。
スイッチ回路２３は、外部機器接続部２５にイヤホンマイク３０の接続端子が接続されていない（挿入されていない）場合には、制御部２６の制御により固定接点ａと作動接点ｂとを接続し、スピーカ１７１から音声出力させる。
スイッチ回路２３は、外部機器接続部２５にイヤホンマイク３０の接続端子が接続されている（挿入されている）場合には、制御部２６の制御により固定接点ａと作動接点ｃとを接続し、外部のイヤホンマイク３０のスピーカ３２により音声出力させる。
【００４０】
スイッチ回路２４は、固定接点ａが音声合成部２０の出力部に接続され、作動接点ｂがリンガスピーカ２１に接続され、作動接点ｃが外部機器接続部２５のスピーカ端子２５２に接続されている。
スイッチ回路２４は、外部機器接続部２５にイヤホンマイク３０の接続端子が接続されていない（挿入されていない）場合には、制御部２６の制御により固定接点ａと作動接点ｂとを接続し、リンガスピーカ２１から合成された音声を出力させる。
スイッチ回路２５は、外部機器接続部２５にイヤホンマイク３０の接続端子が接続されている（挿入されている）場合には、制御部２６の制御により固定接点ａと作動接点ｃとを接続し、外部のイヤホンマイク３０のスピーカ３２により合成された音声を出力させる。
【００４１】
外部機器接続部２５は、イヤホンマイク３０の接続端子が着脱自在に接続可能であり、マイクロフォン端子２５１、スピーカ端子２５２、および信号端子２５３を有する。
マイクロフォン端子２５１が、スイッチ回路２２の作動接点ｃと、イヤホンマイク３０のマイクロフォン３３が接続される。スピーカ端子２５２がスイッチ回路２３の作動接点ｃとイヤホンマイク３０のスピーカ３２と接続される。そして、信号端子が制御部２６とイヤホンマイク３０のキー操作部３１と接続される。
制御部２６は、外部機器接続部２５にイヤホンマイク３０の接続端子が接続され、キー操作部３１と接続されたことを認識すると、スイッチ回路２２，２３，２４の固定接点ａの接続を作動接点ｂから作動接点ｃに切り替える制御を行う。
【００４２】
制御部２６は、マイクロコンピュータを主体として構成され、携帯電話機１の全体の制御を行う。たとえば、制御部２６は、通信処理部１１における各種情報の無線による送受信の制御、音声処理部１７に対する音声情報の処理、メイン表示部１６への情報の表示制御、キー入力部１３の入力情報に応じた処理、メモリ１２に対するアクセス制御等を行う。
【００４３】
制御部２６は、ユーザによる押下式ボタン１９ａの操作がなされると、表示されるテキストの読み上げ機能を実行する。その際、読み上げ機能として、読み上げ用の音声データを出力する方式ではなく、テキスト列を抽出／生成してそのテキストを読み上げるテキスト読み上げ方式を用いている。
制御部２６は、たとえば図１に示すようにテキスト抽出部２６１を含み、テキスト抽出部２６１は、テキスト抽出ルールに従って、たとえばメモリ１２に格納されているメニュー、メーラー、ブラウザのデータベースからテキストを抽出して音声合成部２０に供給する。
その際、制御部２６は、テキスト列を１文字目から順に走査し、予めメモリ１２内の読み上げデータベースを参照して、前後の接続関係を考慮しながら、文単位の音声合成を行うように、音声合成部２０にテキストデータの供給を行う。また、制御部２６は、たとえば文単位の音声合成を行うように制御し、この読み上げ機能によれば、たとえば、男性音への変更、女性音への変更、読み上げスピードの変更などが可能である。
【００４４】
制御部２６は、音声合成部２０を通して、リンガスピーカ２１（スピーカ１７１）あるいはイヤホンマイク３０のスピーカ３２から音声データを出力する際に、読み上げるべきテキストから所定の区切りを認識し、キー操作部１３あるいは読み上げキー操作部１９により所定の指示があったときは、指示入力時点での読み上げ対象テキストの前後いずれかの区切り位置からを音声データとして出力するように制御する。
この場合、制御部２６に対してキー操作部１３あるいは読み上げキー操作部１９により指示される所定の指示は、たとえば早送り（スキップ）または巻き戻し（バックスキップ９の操作である。
制御部２６は、所定の指示が早送り（スキップ）の指示ならば、指示があった時点から前方に最も近い区切り位置から音声データとして出力するように制御する。
制御部２６は、所定の指示が巻き戻し（バックスキップ）の指示ならば、指示があった時点から後方に最も近い区切り位置からを音声データとして出力するように制御する。
この区切り位置は、前述したように、たとえばＪＩＳの規定する句点、読点、感嘆符、疑問符等の記述記号、具体的には、「、」「。」「−」「／」「！」「？〕等の記述記号が付された位置が区切り位置として設定される。これにより、メール本文内を自動的に区切ることが可能で、確認（認識）時間を短縮しながらもおおまかな主旨を把握することが可能となっている。
【００４５】
制御部２６はさらに、たとえば電子メールを通信部１１を通して受信した場合であって、電子メールについて読み上げを行う際に、電子メールの構成要素を認識して複数の構成要素の間を区切り位置として扱うようにも制御する。
また、制御部２６は、電子メールについて読み上げを行う際に、構成要素の名称のテキストを上記構成要素により区切った区切り位置で挟まれるテキストの先頭部分に挿入するように制御する。
メモリ１２には、敬称のテキストと、アドレス情報とが記憶されており、制御部２６は、受信した電子メールの差出人を示す構成要素について、メモリ１２のアドレス情報から差出人名を検索可能で、電子メールの差出人を示す構成要素について読み上げを行う際に、音声出力部としてスピーカ２１等により差出人名を出力した後に敬称を出力するように制御する。
【００４６】
また、上述したように、携帯電話機１０は、音声読み上げ機能に加えて、外部接続されて読み上げ操作を指示可能な外部操作部を備えリモートコントロール可能な外部接続機器としてのイヤホンマイク３０を接続可能で、制御部２６は、イヤホンマイク３０が接続されるときには、リモコン対応操作割り込みルーチン管理処理を行って、音声入出力をイヤホンマイク３０に切り替えるようにスイッチ回路２２〜２４を制御する。
制御部２６は、イヤホンマイク３０の接続端子が外部機器接続端子２５から抜かれると、音声入出力を、内蔵のマイクロフォン１７２、スピーカ１７１、リンガスピーカ２１により切り替えるようにスイッチ回路２２〜２４を制御する。
【００４７】
制御部２６は、イヤホンマイク３０が接続されているとき、通信部１１を通して着信情報が入力されると、音声出力部としてのスピーカ３２により着信報知を行わせてイヤホンマイク３０に出力させるとともに、イヤホンマイク３０のキー操作部３１が操作されたときには着信報知を停止し、さらに通信部１１に通信ネットワークへ通信の接続処理を開始させるように制御する。
イヤホンマイク３０のキー操作部３１は、１または複数のキーで構成される。
制御部２６は、後で詳述するように、イヤホンマイク３０のキー操作部３１のキーの操作により生じる信号の所定時間内における回数をカウントすることにより、所定の指示を判別する。
ここでいう所定の指示とは、早送り（スキップ）または巻き戻し（バックスキップ）の操作である。制御部２６は、たとえば図３（ａ）に示すように、キー操作部３１のキーが１回操作されるとスキップであり、図３（ｂ）に示すように、２回操作されるとバックスキップであると判別する。また、制御部２６は、図３（ｃ）に示すように、キー操作部３１により所定時間以上に亘って信号入力がある場合には、本読み上げ機能に関係しない操作、たとえば着信応答や保留解除であると判別する。
【００４８】
また、制御部２６は、通常速度である第１の速度で読み上げている際に、キー操作部１９，１３、あるいは３１により早送り指示がなされると、早送り指示があった時点から前方に最も近い区切り位置までを第１の速度よりも速い第２の速度で読み上げ、区切り位置からは第１の速度に戻して読み上げる制御する。
制御部２６は、キー操作部１９，１３、あるいは３１により第１回目の巻き戻し指示がされると、この第１回目の操作指示時点での区切り区間を読み上げ、第１回目の操作指示があってから所定時間内に再度巻き戻し操作の指示があると、一つ前の区間まで読み上げ対象を戻すように制御する。
【００４９】
また、サブ表示部１５またはメイン表示部１６がテキストを表示する状態において、携帯電話機１の上方向に対してダイヤル入力がなされると、表示されるテキストの文字サイズが拡大するように、また、携帯電話機１の下方向に対してダイヤル入力がなされると、表示されるテキストの文字サイズが縮小するように、各表示部を制御する。
文字情報については、スケーラブルフォントとして、若しくは、サイズの異なる複数のフォントとしてメモリ１２に格納されているので、制御部２６は、文字情報をメモリ１２から取り出して各表示部に表示させる。
なお、ここで、携帯電話機１は、図２（ｂ）に示す状態において、リンガスピーカ２１側を下側として、テキストのフォントが表示されるとする。
【００５０】
制御部２６は、上述したように、ダイヤル入力部１４からのダイヤル入力に応じた処理を行うが、その際、携帯電話機１の開閉状態に応じた反転処理を行う。
一般的に、上下方向のダイヤル操作に対して、ユーザは、上方向の操作に対しては作用が増大することを、下方向の操作に対しては作用が減少することを期待するので、携帯電話機１の開閉状態に関わらず、上述したユーザの期待に沿った作用がなされることを実現するための処理が反転処理である。
【００５１】
すなわち、携帯電話機１が閉状態（図２（ｂ））において、上述したように、ダイヤルの上下方向の入力に応じて、たとえば文字サイズがそれぞれ拡大／縮小するように処理する場合には、仮に、何らその他の処理を行わないとすると、携帯電話機１が開状態（図２（ａ））においては、ユーザに対するダイヤル入力部１４の上下位置方向が閉状態と比して逆転するため、上方向の入力に応じて文字サイズが縮小し、ユーザにとって違和感が生ずる作用結果となる。
そこで、制御部２６は、開閉スイッチ１８の出力に基づいて、携帯電話機１の開閉状態を判別し、当該開閉状態に応じて、ダイヤル入力部１４に対する作用の反転処理を行う。これにより、ユーザから見ると、携帯電話機１の開閉状態に関わらず、常に、ダイヤル入力部１４に対する上方向の操作により、文字サイズを拡大させる方向に、また、ダイヤル入力部１４に対する下方向の操作により、文字サイズを縮小させる方向に、動作することになるので、違和感がなく、操作性が向上する。
【００５２】
以上、携帯電話機１０の各構成要素について述べた。
次に、本実施形態に係る携帯電話機１０の音声読み上げ制御について、図４〜図１０に関連付けて具体的に説明する。
【００５３】
まず、図４〜図６に関連付けて本実施形態に係る読み上げ動作の基本的動作を説明する。
図４は、本実施形態に係る読み上げ動作の基本的動作を説明するためのフローチャートである。また、図５は、読み上げ動作時の受け取ったデータの例を示す図であって、メーラーによって受け取った場合の例を示す図である。図６は、読み上げ動作時の受け取ったデータに基づいてテキスト抽出部２６１で作成されるテーブルの一例を示す図である。
【００５４】
基本的には、読み上げ可能な状態に遷移することにより作動する。
まず、読み上げの前処理として、読み上げるべきデータの受け取り元を判別する（ＳＴ１）。受け取り元としては、メニュー、メーラー、ブラウザであるかの判別を行う。この例では、メーラーから受け取ったものとする。なお、受け取り元は一箇所に限定せず、メニューとメーラーの組み合わせ等を許容する。
そして、図５に示すようなデータを受け取り（ＳＴ２）、図６に示すようなテーブル作成を行う（ＳＴ３）。
【００５５】
受け取ったデータは、たとえば図５に示すようなデータとする。
すなわち、ヘッダ部は、ＤＡＴＥ（日付）：２００４／３／２０、Ｆｒｏｍ（差出人）：京セラ太郎、Ｓｕｂｊｅｃｔ（件名）：いい天気ですね、等と、本文である。図６の本文の例は、「今日はいい天気ですね。明日も晴れるかな？今度遊びに行きましょう！」となっている。このように、本文には、読点「。」、疑問符「？」、感嘆符「！」が含まれている。
【００５６】
テーブル作成の際は、データ受け取り元に応じたルールに従って、項目ごとにテキストデータを作成する。
具体的には、「項目番号１」のテキストデータとして、「受信２００４年３月２０日」が作成される。この項目番号１のテキストデータは、受け取りデータのヘッダ部の「ＤＡＴＥ：２００４／３／２０」なるデータに基づき作成されている。なお、「受信」の文字に下線を付してあるが、これは項目毎の定型追加テキストであることを示している。
「項目番号２」のテキストデータとして、「差出人京セラ太郎さん」が作成される。この項目番号２のテキストデータは、受け取りデータのヘッダ部の「Ｆｒｏｍ：京セラ太郎」なるデータに基づいて作成されている。なお、「差出人」「さん」の文字に下線を付してあるが、これは項目毎の定型追加テキストであることを示している。また、「さん」は敬称である。なお、ＣＰＵ２６は、電子メールの差出人を示す構成要素にアドレス情報しか含まれなかった場合には、上記敬称の付加動作を省略したり、携帯電話機１０のメモリ２１に記憶されるアドレス帳を参照して一致する名称を抽出した上で敬称を付加する動作を行わすことが好ましい。
「項目番号３」のテキストデータとして、「件名いい天気ですね」が作成される。この項目番号３のテキストデータは、受け取りデータのヘッダ部の「Ｓｕｂｊｅｃｔ：いい天気ですね」なるデータに基づいて作成されている。なお、「件名」の文字に下線を付してあるが、これは項目毎の定型追加テキストであることを示している。
【００５７】
「項目番号４」のテキストデータとして、「本文今日はいい天気ですね。」が作成される。この項目番号４のテキストデータは、受け取りデータの本文の「今日はいい天気ですね。」なるデータに基づいて作成されている。すなわち、読点「。」を区切り位置として認識し、この読点「。」部分で項目の区切りとしている。なお、「本文」の文字に下線を付してあるが、これは項目毎の定型追加テキストであることを示している。
「項目番号５」のテキストデータとして、「明日も晴れるかな？」が作成される。この項目番号５のテキストデータは、受け取りデータの本文の「明日も晴れるかな？」なるデータに基づいて作成されている。すなわち、疑問符「？」を区切り位置として認識し、この疑問符「？」部分で項目の区切りとしている。
「項目番号６」のテキストデータとして、「今度遊びに行きましょう！」が作成される。この項目番号６のテキストデータは、受け取りデータの本文の「今度遊びに行きましょう！」なるデータに基づいて作成されている。すなわち、感嘆符「！」を区切り位置として認識し、この感嘆符「！」部分で項目の区切りといしている。
そして、「項目番号７」のテキストデータとして、「メール終わり」が文末の定型追加テキストとして作成される。なお、「メール終わり」の文字に下線を付してあるが、これは項目毎の定型追加テキストであることを示している。
【００５８】
そして、実施形態に係る携帯電話機１０において、読み上げ機能により音声出力するための各項目に対応したテキスト（説明テキストと称する）をメモリ１２に保持しており、押下式ボタン１９ａに対する操作に応じて、選択された項目に対応するテキストが音声合成部２０に供給され、ここで音声合成処理が行われて、たとえばリンガスピーカ２１からテーブルに従って一項目ずつ音声出力される。
【００５９】
読み上げ中に、キー操作部１３あるいは１９によりスキップ操作指示（早送り指示）またはバックスキップ操作指示（巻き戻し指示）による割り込み処理を受けると、後述するスキップ操作（ＳＴ５ａ）またはバックスキップ操作（ＳＴ５ｂ）が行われる。
そして、作成したテーブルの最後の項目（番号７の「メール終わり」）を読み上げた時点で終了する（ＳＴ６）。
【００６０】
次に、図７および図８に関連付けてスキップ操作およびバックスキップ操作について説明する。
図７は、スキップ操作時の動作を説明するためのフローチャートである。また、図８は、バックスキップ操作の動作を説明するためのフローチャートである。
【００６１】
まず、図７に関連付けてスキップ操作時の動作を説明する。
読み上げ中に、キー操作部１３あるいは１９によりスキップ操作指示（早送り指示）による割り込み処理を受けると（ＳＴ１１）、スキップすべき項目が作成したテーブルの最後の項目か否かを判別する（ＳＴ１２）。
ステップＳＴ１２において、最後の項目でないと判別すると、項目を一つ進める、すなわち現項目をスキップする処理を行う（ＳＴ１３）。
次に、所定時間内に、キー操作部１３あるいは１９によりスキップ操作指示（早送り指示）による割り込み処理を受けた否かの判別を行う（ＳＴ１４）。
ステップＳＴ１４において、所定時間内にスキップ操作指示が無い場合には処理を終了する。一方、所定時間内にスキップ操作指示があったと判別すると、ステップＳＴ１２の処理に戻り、スキップすべき項目が作成したテーブルの最後の項目か否かを判別する（ＳＴ１２）。
ステップＳＴ１２において、最後の項目であると判別すると、処理を終了し、最後の項目ではないと判別するとステップＳＴ１３の処理より項目を一つ進める、すなわち現項目をスキップする処理を行い、ステップＳＴ１４の処理に移行する。
【００６２】
次に、図８に関連付けてバックスキップ操作時の動作を説明する。
読み上げ中に、キー操作部１３あるいは１９によりバックスキップ操作指示（早戻し指示）による割り込み処理を受けると（ＳＴ２１）、同じ項目を読み直した後（ＳＴ２２）バックスキップすべき項目が作成したテーブルの最初の項目か否かを判別する（ＳＴ２３）。
ステップＳＴ２３において、最初の項目でないと判別すると、所定時間内に、キー操作部１３あるいは１９によりバックスキップ操作指示（早戻し指示）による割り込み処理を受けた否かの判別を行う（ＳＴ２４）。
ステップＳＴ２４において、所定時間内にバックスキップ操作指示が無い場合には処理を終了する。一方、所定時間内にバックスキップ操作指示があったと判別すると、ステップＳＴ２５の処理に進み、スキップすべき項目が作成したテーブルの最初の項目か否かを判別する。
ステップＳＴ２５において、最初の項目でないと判別した場合には、項目を一つ戻す、すなわち現項目をバックスキップする処理を行い（ＳＴ２６）、ステップＳＴ２４の処理に移行する。
そして、ステップＳＴ２５において最初の項目でないと判別した場合には処理を終了する。
【００６３】
次に、外部接続機器であるイヤホンマイク３０の接続端子が外部機器接続部２５に接続された場合の制御動作について図９および図１０のフローチャートに関連付けて説明する。
【００６４】
まず、図９に示すように、外部接続機器であるイヤホンマイク３０の接続端子が外部機器接続部２５に接続されたか否かの判別を行う（ＳＴ３１）。
ステップＳＴ３１において、イヤホンマイク３０の接続端子が外部機器接続部２５に接続されたと判別すると、制御部２６は、リモコン対応の操作割り込みルーチン管理処理を行う（ＳＴ３２）。
ステップＳＴ３１において、イヤホンマイク３０の接続端子が外部機器接続部２５に接続されていないと判別すると、制御部は、通常の操作割り込みルーチン管理処理を行う（ＳＴ３３）。
【００６５】
リモコン対応の操作割り込みルーチン管理処理においては、図１０に示すように、本体のキー操作部からの入力が有るか否かの判別を行い（ＳＴ４１）、有る場合には操作に応じた割り込み処理を行う（ＳＴ４２）。
ステップＳＴ４１において本体のキー操作部からの入力がないと判別すると、イヤホンマイク３０のキー操作部３１によりリモコン信号が入力（ＯＮ）されたか否かの判別を行う（ＳＴ４３）。
【００６６】
ステップＳＴ４３において、リモコン信号がＯＮされたと判別すると、ＯＮしてから所定時間内におけるリモコン信号がＯＦＦしたか否かの判別を行う（ＳＴ４４）。
ステップＳＴ４４において、リモコン信号がＯＦＦしていないと判別すると、キー操作部３１により所定時間以上に亘って信号入力があることから、本読み上げ機能に関係しない操作、たとえば着信応答や保留解除であると判別する（ＳＴ４５）。
ステップＳＴ４４において、リモコン信号がＯＦＦしたと判別すると、キー操作部３１により所定時間内にリモコン信号がＯＮされたか否かの判別を行う（ＳＴ４６）。
ステップＳＴ４６において、所定時間に再度リモコン信号がＯＮされたと判別すると、バックスキップ操作指示がなされたものと判別し、上述したバックスキップ操作割り込み処理を行う（ＳＴ４７）。
ステップＳＴ４６において、所定時間に再度リモコン信号がＯＮされないと判別すると、スキップ操作指示がなされたものと判別し、上述したスキップ操作割り込み処理を行う（ＳＴ４８）。
【００６７】
また、制御部２６は、イヤホンマイク３０が接続されているとき、通信部１１を通して着信情報が入力されるとスピーカ３２により着信報知を行わせてイヤホンマイク３０に出力させる。
これと並行して、制御部２６は、イヤホンマイク３０のキー操作部３１が操作されたときには着信報知を停止して、通信部１１に通信ネットワークへ通信の接続処理を開始させる。
また、制御部２６は、イヤホンマイク３０が接続されているときに、新着メールを受信すると、新着メールのテーブルを作成する。
【００６８】
ここで、イヤホンマイクの接続されるときの新着メールのテーブルについて説明する。基本的には、すでに図５および図６においてテーブルの作成については述べたが、イヤホンマイクが接続されるときには、この動作を若干変更することにより、ユーザにとってさらに便利な読み上げ機能とすることができる。
通常は、新たに着信メールが発生すると、待ち受け画面上に「新着メールあり」との表示がなされる。この「新着メールあり」の表示は、ＣＰＵ２６が、新たに着信メールの生じたことを検出すると、メモリ２１に格納されている特にメニューのデータベースから抽出されるテキストを、サブ表示部１５に表示させる。ここで、ユーザは端末を開くと、開閉スイッチ１８の信号の変化によりメイン表示部１６に「新着メールあり」の表示が切り替わる。
この状態にて、キー操作部１３にて新着メールを開く動作を行い、読み上げキー操作部１９にて読み上げが指示されると、図５および図６に関連付けて述べたようなテーブルの作成がなされる。
これに対し、イヤホンマイク３０が接続されるとき、図５および図６に関連付けて述べたようなテーブルの作成を行う際に、項目番号の先頭にまずメニューのデータベースから抽出されるテキストである「新着メールあり」をテキストデータに加え、以降の項目番号を一つずつ下位にずらしてテーブルを作成する。
これにより、新着メールの生じた状態で、キー操作部１３を操作しなくても早送り（スキップ）動作を行えば、即時新着メールの内容までをも確認することができる。
【００６９】
なお、このようなメニューをも含めたテーブル作成動作はイヤホンマイク３０の接続の有る状態でのみ説明したが、これに限るものではない。
たとえば、読み上げキー操作部１９が端末が閉じられた状態において露出するように構成されている場合、端末が閉じられた状態において読み上げ操作部１９が操作されたときは、上述したようにメニューをも含めたテーブル作成動作を行うようにしても良い。
これにより、端末を開かなくても「新着メールあり」という読み上げがリンガスピーカ２１などより出力され、一連の内容確認を行うことができるようになる。
【００７０】
以上説明したように、本実施形態によれば、読み上げ操作を指示する操作部１９と、テキストを記憶するメモリ１２と、読み上げを行う際に、メモリ１２に記憶されたテキストデータを音声データに変換する音声合成部２０と、音声データを出力する音声出力部２１と、音声出力部２１にて音声データを出力する際に、読み上げるべきテキストから所定の区切りを認識し、操作部１９により所定の指示があったときは、指示入力時点での読み上げ対象テキストの前後いずれかの区切り位置からを音声データとして音声出力部としてのスピーカにより出力するように制御する制御部２６とを有することから以下の効果を得ることができる。
音声読み上げ機能において、ユーザが情報の重要度に応じて取捨選択することが可能となり、読み上げ機能を効率的に活用できる。
また、メーラーやブラウザやメニュー表示部といった、情報表示を管理しているアプリケーション等をテキスト情報の受け取り元とすることができ、メール一通分など画面表示時に意味のある単位での受け渡しが可能となる。
また、あらかじめ決めたルールに従って読み上げるテキストの項目抽出を行うことができ、あらかじめ内容を予測することのできない電子メールなどのデータの場合にも自動的に対応することができ、ユーザが自分で区切り位置を設定する労力を軽減することができる。
既存のイヤホンマイクインタフェースを使って、読み上げ音声の出力やリモコン操作を利用可能であり、端末の低コスト化と小サイズ化、およびプライバシーに配慮した機能操作を可能とする。
画面をほとんど見ることなくメール確認などの操作を可能とするため、視力が低下する状況での利用はもちろん、画面を覗かれたくない状況などで画面表示をオフにして利用することも可能である。
また、音楽再生など音声読み上げとは別の用途でイヤホンマイクを使用しているときに新着メールを受信した場合に、いわゆる折り畳み型端末を開くことなく新着メールの確認など簡単な操作が手元で可能となる利点がある。
また、メール内容確認などプライベートな情報が含まれているために、音声読み上げじにデメリットが生じるような場合でも、音声が周囲に漏れることがないため問題なく使用することが可能である。
【００７１】
また、本実施形態に係る携帯電話機１０によれば、ダイヤル入力部１４に対する操作により、表示されているテキストの文字を拡大／縮小することができ、テキストの視認性が向上するとともに、テキストの文字を拡大／縮小する際に、そのテキストの表示形式に応じた表示処理を行うので、さらにユーザの視認性および操作快適性が向上する。
【図面の簡単な説明】
【００７２】
【図１】携帯電話機のシステム構成の一例を図解したブロック図である。
【図２】携帯電話機の外観の一例を図解した図であり、（ａ）は正面の外観図を、（ｂ）は背面の外観図を、（ｃ）は正面の外観図を、（ｄ）は背面の外観図を、それぞれ示す。
【図３】実施形態において３種類の操作を識別する場合の信号例を示す図である。
【図４】実施形態に係る読み上げ動作の基本的動作を説明するためのフローチャートである。
【図５】実施形態に係る読み上げ動作時の受け取ったデータの例を示す図であって、メーラーによって受け取った場合の例を示す図である。
【図６】実施形態に係る読み上げ動作時の受け取ったデータに基づいてテキスト抽出部で作成されるテーブルの一例を示す図である。
【図７】実施形態に係るスキップ操作時の動作を説明するためのフローチャートである。
【図８】実施形態に係るバックスキップ操作の動作を説明するためのフローチャートである。
【図９】実施形態に係る外部接続機器であるイヤホンマイクの接続端子が外部機器接続部に接続された場合の制御動作について説明するためのフローチャートである。
【図１０】実施形態に係る外部接続機器であるイヤホンマイクの接続端子が外部機器接続部に接続された場合の制御動作について説明するためのフローチャートである。
【符号の説明】
【００７３】
１０…携帯電話機
１００…本体ケース
１０１…キー入力側本体ケース
１０２…表示側本体ケース
１１…通信処理部
１１１…送受信アンテナ
１２…メモリ
１３…キー操作部
１４…ダイヤル入力部
１５…サブ表示部
１６…メイン表示部
１７…音声処理部
１７１…スピーカ
１７２…マイクロフォン
１８…開閉スイッチ
１９…読み上げキー操作部
２０…音声合成部
２１…リンガスピーカ
２２〜２４…スイッチ回路
２５…外部機器接続端子
２６…制御部
３０…イヤホンマイク
３１…キー操作部
３２…スピーカ
３３…マイクロフォン
【図１】
2006014240.tif 000003
【図２】
2006014240.tif 000004
【図３】
2006014240.tif 000005
【図４】
2006014240.tif 000006
【図５】
2006014240.tif 000007
【図６】
2006014240.tif 000008
【図７】
2006014240.tif 000009
【図８】
2006014240.tif 000010
【図９】
2006014240.tif 000011
【図１０】
2006014240.tif 000012